(57)【要約】【課題】居住空間から庭までが立体的に繋がったような印象を、居住者に与えることのできる住宅を提供する。【解決手段】住宅（１００）は、居住空間を構成する建物（１１０）と、建物（１１０）の屋外に配置される庭（１３０）と、建物（１１０）から庭（１３０）に向かって前方に延び、庭（１３０）よりも高さを有するデッキ（１２０）と、庭（１３０）において、山状に盛り上がった土手部（１４０）とを備える。土手部（１４０）は、その頂上部（１４１）が、デッキ（１２０）の前方で横方向に延びるように配置されている。【選択図】図２
2015031034.tif 000002
【特許請求の範囲】
【請求項１】
居住空間を構成する建物と、
前記建物の屋外に配置される庭と、
前記建物から前記庭に向かって前方に延び、前記庭よりも高さを有するデッキと、
前記庭において、その頂上部が前記デッキの前方で横方向に延びるように、山状に盛り上がった土手部とを備える、住宅。
【請求項２】
前記建物は、
前記居住空間を囲む外壁と、
前記外壁のうち前記デッキに面する外壁に設けられた、光を取り込むための開口部とを含み、
前記開口部は、前記居住空間の床にまで延びている、請求項１に記載の住宅。
【請求項３】
前記土手部の前記建物側の傾斜面は、前記デッキの屋外側下端部にまで延びている、請求項１または２に記載の住宅。
【請求項４】
前記土手部の前記頂上部は、前記デッキの高さよりも高い、請求項１または２に記載の住宅。
【請求項５】
前記土手部には、植物が植えられている、請求項１または２に記載の住宅。
【請求項６】
前記土手部よりも前方に位置する平坦部には、植物が設けられている、請求項５に記載の住宅。
【請求項７】
請求項１〜５のいずれかに記載の住宅が、隣接して２戸設けられており、
隣接する前記住宅の前記土手部は、前記頂上部が連続するように設けられている、住宅群。
【請求項８】
各前記住宅は、前記土手部よりも前方に平坦部を有しており、
隣接する前記住宅の前記平坦部は、連続して設けられている、請求項７に記載の住宅群。
【発明の詳細な説明】
【技術分野】
【０００１】
本発明は、住宅および住宅群であって、特に、屋外に庭を有する住宅、および、このような住宅が隣接して少なくとも２戸設けられた住宅群に関する。
【背景技術】
【０００２】
従来から、建物の１階の開口部と屋外の庭との間にデッキが設けられた住宅が存在する。デッキの前方に広がる庭は、部分的に花壇が設けられることがあるものの、一般的には、その全体が平坦状となるように設けられる。
【０００３】
また、住宅の庭を明るく開放的な雰囲気とするために、たとえば特開２０００−３２０１５９号公報（特許文献１）では、駐車場の出入り口を除いた敷地の周縁に、メッシュフェンスを配置した住宅が提案されている。
【先行技術文献】
【特許文献】
【０００４】
【特許文献１】特開２０００−３２０１５９号公報
【発明の概要】
【発明が解決しようとする課題】
【０００５】
デッキが設けられた住宅において、屋内あるいはデッキから庭を見た場合に、居住者の視線は、デッキの先で途絶えてしまう。したがって、従来の住宅におけるデッキと庭との関係だけでは、居住空間と庭との繋がりは得られない。
【０００６】
また、特許文献１のように、庭と外部との境界位置にメッシュフェンスを配置した場合、屋内あるいはデッキから庭を見た場合に、十分な開放感が得られないだけでなく、分譲住宅地等において広がりのある街並みが得られない。
【０００７】
本発明は、上記のような課題を解決するためになされたものであって、その目的は、デッキから庭までが立体的に繋がったような印象を居住者に与えることのできる住宅を提供することである。
【０００８】
また、本発明は、広がりのある街並みを得ることのできる住宅群を提供することも他の目的とする。
【課題を解決するための手段】
【０００９】
この発明のある局面に従う住宅は、居住空間を構成する建物と、建物の屋外に配置される庭と、建物から庭に向かって前方に延び、庭よりも高さを有するデッキと、庭において、山状に盛り上がった土手部とを備える。土手部は、その頂上部が、デッキの前方で横方向に延びている。
【００１０】
好ましくは、建物は、居住空間を囲む外壁と、外壁のうちデッキに面する外壁に設けられた、光を取り込むための開口部とを含む。開口部は、居住空間の床にまで延びていることが望ましい。
【００１１】
好ましくは、土手部の建物側の傾斜面は、デッキの屋外側下端部にまで延びている。
【００１２】
好ましくは、土手部の頂上部は、デッキの高さよりも高い。
【００１３】
土手部には、植物が植えられていることが望ましい。
【００１４】
また、土手部よりも前方に位置する平坦部にも、植物が設けられていることが望ましい。
【００１５】
この発明の他の局面に従う住宅群は、上記住宅が、隣接して２戸設けられており、隣接する住宅の土手部は、頂上部が連続するように設けられている。
【００１６】
好ましくは、各住宅は、土手部よりも前方に平坦部を有しており、隣接する住宅の平坦部は、連続して設けられている。
【発明の効果】
【００１７】
本発明の住宅によれば、デッキから庭までが立体的に繋がったような印象を、居住者に与えることができる。
【００１８】
また、本発明の住宅群によれば、広がりのある街並みを得ることができる。
【図面の簡単な説明】
【００１９】
【図１】本発明の実施の形態に係る住宅を模式的に示す模式断面図である。
【図２】本発明の実施の形態に係る住宅を屋外側から見た斜視図である。
【図３】本発明の実施の形態に係る住宅群を示す正面図である。
【発明を実施するための形態】
【００２０】
本発明の実施の形態について図面を参照しながら詳細に説明する。なお、図中同一または相当部分には同一符号を付してその説明は繰返さない。
【００２１】
（住宅について）
はじめに、図１および図２を参照して、本実施の形態に係る住宅１００の構造例について説明する。なお、住宅１００の説明においても、住宅群の構成例を示した図３を適宜参照する。
【００２２】
住宅１００は、家屋である建物１１０と、建物１１０の屋外に配置される庭１３０とを含んでいる。建物１１０は、複数の外壁１１２等に囲まれることによって、屋内空間としての居住空間１１１を構成している。庭１３０は、建物の正面側に位置している。なお、建物１１０は、たとえば２階建てであることとするが、１階建てや３階建てであってもよい。
【００２３】
外壁１１２のうち、庭１３０に面する外壁１１２ａには、光を採り込むための開口部１１３が設けられている。開口部１１３は、たとえば掃き出し窓であり、１階の居住空間１１１の床にまで延びている。開口部１１３に面する居住空間１１１は、たとえば居間である。
【００２４】
本実施の形態において、図１および図２の一方向矢印Ａ１に示される、開口部１１３から庭１３０へ向かう方向を、「前方方向」とする。また、図２の両方向矢印Ａ２に示される、水平面において前方方向と直交する方向を、「横方向」とする。前後方向における住宅１００の境界線が、図１において一点鎖線Ｌ１，Ｌ２で示されている。
【００２５】
住宅１００は、たとえば、分譲住宅地に建てられる複数戸の住宅のうちの１つである。図３に示されるように、少なくとも、住宅１００の横方向一方側の隣には、他の住宅２００が近接して建てられている。
【００２６】
開口部１１３の前方には、デッキ１２０が配置されている。デッキ１２０は、たとえばウッドデッキであり、庭１３０に向かって前方に延びている。また、デッキ１２０は、庭１３０よりも高さを有しており、その高さはたとえば４０〜５０ｃｍの範囲で定められている。デッキ１２０は、その床面が、建物１１０内の居住空間１１１の床面と略面一形状となるように設けられていることが望ましい。また、デッキ１２０の横幅は、開口部１１３の開口幅以上であることが望ましい。
【００２７】
本実施の形態では、デッキ１２０は、横方向において、隣接する住宅２００の敷地側へと延びる横庭１３１と、建物１１０の正面側に設けられた付属棟１１４との間に配置されている。住宅１００の横庭１３１と、隣接する住宅２００の横庭（図示せず）との間には、塀などの仕切り壁が設けられることなく、樹木３００などが配置されていることが望ましい。
【００２８】
付属棟１１４は、開口部１１３が設けられた外壁１１２ａよりも前方に張出すように配置されている。付属棟１１４は、内部に玄関を有しており、建物１１０の屋根よりも高さが抑えられている。玄関口は、デッキ１２０と接する側面１１４ｂの反対側に設けられている。付属棟１１４の正面１１４ａには、矩形状（略正方形状）の小窓１１５が設けられている。小窓１１５は、この正面１１４ａの上下方向略中央位置であって、玄関の土間寄りに設けられている。また、付属棟１１４のデッキ１２０側の側面１１４ｂにも、矩形状の小窓１１６が設けられている。小窓１１６は、デッキ１２０の床面にまで延びている。
【００２９】
このような住宅１００において、庭１３０には、山状に盛り上がった土手部１４０が設けられている。土手部１４０は、頂上部１４１と、頂上部１４１からそれぞれ斜め下方に延びる傾斜面１４２，１４３とを含む。土手部１４０は、頂上部１４１がデッキ１２０の前方で横方向に延びるように配置されている。つまり、土手部１４０は、デッキ１２０の前方（屋外側）端部１２１に対して平行に延びている。なお、頂上部１４１は、前後方向に幅を有するように平坦状に形成されていてもよいし、稜線状に形成されていてもよい。
【００３０】
土手部１４０の頂上部１４１は、デッキ１２０の高さよりも高いことが望ましい。また、土手部１４０の横幅は、デッキ１２０の幅よりも広いことが望ましい。図１および図２に示されるように、土手部１４０は、庭１３０において、デッキ１２０寄りに設けられている。より具体的には、土手部１４０の建物１１０側の傾斜面１４２が、頂上部１４１からデッキ１２０の屋外側端部１２１にまで延びていることが望ましい。また、土手部１４０には、芝生などの丈の低い植物（図示せず）が全面的に植えられていることが望ましい。また、目隠しともなる植物が、所々に設けられていてもよい。なお、傾斜面１４２を流下する雨水を排出するための排水口（図示せず）は、たとえばデッキ１２０の屋外側端部１２１の下端位置に設けられていてもよい。
【００３１】
本実施の形態では、土手部１４０の横方向一方側の端部は、隣接する住宅２００との境界位置（図３の一点鎖線Ｌ３の位置）まで延び、他方側の端部は、庭１３０と玄関アプローチ１６０との間に設けられた立壁１３２にまで延びている。立壁１３２は、付属棟１１４の正面１１４ａに対して直交するように設けられている。立壁１３２の高さは、土手部１４０の頂上部１４１よりも高い。
【００３２】
庭１３０において、土手部１４０のさらに前方には、臨時の駐車スペースとしても利用可能な平坦部１３３が延在している。平坦部１３３は、住宅１００の最も前方に位置しており、正面側の道路と同一面上に広がっている。なお、平坦部１３３にも、土手部１４０と同様に、芝生などの丈の短い植物（図示せず）が全面的に植えられていることが望ましい。平坦部１３３には、立壁１３２近傍に、背の高い、彩りのある樹木１５０が植えられていてもよい。
【００３３】
上述のように、本実施の形態では、デッキ１２０のすぐ前方に、土手部１４０が設けられている。これにより、デッキ１２０と庭１３０との境界が曖昧になる。そのため、居住空間１１１から開口部１１３を介して庭１３０を見たときに、居住者の視線は、居住空間１１１の床面から、デッキ１２０の床面および傾斜面１４２に沿って、途切れることなく緩やかに上方に広がっていく。したがって、屋内空間である居住空間１１１と、屋外空間に設けられたデッキ１２０および庭１３０とが、立体的に繋がったような大きな空間イメージを得ることができる。その結果、限られた建坪のコンパクトな建物１１０であっても、居住空間１１１を広く見せることができる。
【００３４】
また、土手部１４０に芝が植えられている場合には、デッキ１２０によって芝が隠されることなく見えるため、居住者は、屋外の自然を身近に感じることができる。
【００３５】
また、特に、土手部１４０および平坦部１３３の全面に芝生が植えられている場合には、土手部１４０および平坦部１３３が小さな野原のような雰囲気にもなる。したがって、土手部１４０および平坦部１３３は、子供たちの恰好の遊び場となる。また、土手部１４０はなだらかな傾斜が付けられているため、土手部１４０の地面自体が、子供たちの遊びの対象となる。
【００３６】
また、土手部１４０は、高低差のない庭１３０において盛り土によって形成されるため、建物１１０を建設する際に余る土を、土手部１４０の造成に有効に利用することができる。
【００３７】
また、庭１３０（平坦部１３３）の前方には、塀などの仕切り壁が配置されていない。したがって、土手部１４０によって、住宅１００内における繋がりだけでなく、住宅１００と外部との繋がりも得られる。つまり、住宅１００を正面側から見た場合に、平坦部１３３の地面から、土手部１４０の傾斜面１４３へと、見る人の視線が途切れることなく緩やかに上方に広がっていく。したがって、住宅１００の庭１３０と住宅地の街並みとが、緩やかに繋がったような印象を、見る人に与えることができる。
【００３８】
なお、本実施の形態では、デッキ１２０は、外壁１１２ａに設けられた開口部１１３の前方に配置されていることとしたが、デッキ１２０は、開口部１１３から離れた位置に配置されていてもよい。その場合でも、デッキ１２０の前方に土手部１４０が設けられることで、デッキ１２０から庭１３０を見た場合に、デッキ１２０と庭１３０とが立体的に繋がったような印象を、居住者に与えることができる。
【００３９】
（住宅群について）
次に、図３を参照して、上記住宅１００を含む住宅群の構成例について説明する。
【００４０】
住宅１００は、住宅２００に隣接している。住宅２００は、住宅１００を左右反転させた構造を有している。したがって、住宅２００も、住宅１００と同様の構造物を有している。図３において、１００番台で示した住宅１００の構造物に相当する住宅２００の構造物を、２００番台で示している。したがって、住宅２００の構造物そのものについての説明は繰返さない。
【００４１】
図３に示されるように、分譲住宅地において、住宅１００の土手部１４０と、住宅２００の土手部２４０とは、仕切られることなく連続して設けられている。つまり、土手部１４０の頂上部１４１と土手部２４０の頂上部とが、境界線Ｌ３をまたいで段差なく一体的に設けられている。また、各土手部１４０，２４０の先にある平坦部１３３，２３３も、仕切られることなく連続して設けられている。つまり、平坦部１３３と平坦部２３３とが、境界線Ｌ３をまたいで、段差なく一体的に設けられている。
【００４２】
土手部１４０，２４０および平坦部１３３，２３３が上述のように構成されることで、隣接する庭１３０，２３０同士においても、立体的な繋がりが生じる。したがって、本実施の形態によれば、広がりのある街並みを得ることができる。また、隣接する住宅１００，２００の庭１３０，２３０において、土手部１４０，２４０が丘のように繋がって配置されるため、外観の映える、印象的な外構とすることができる。
【００４３】
また、隣接する庭１３０，２３０全体が、広がりのある野原のような自然を楽しめる場所となるため、庭１３０，２３０を、子供たちが集まって遊べる遊び場とすることができる。また、近隣の居住者との間で密接した関係が生まれるため、居住者同士で新たな楽しみを生み出すことができる。
【００４４】
なお、本実施の形態では、土手部１４０の傾斜面１４２，１４３の傾斜角度は略同一であることとしたが、同一でなくてもよい。たとえば、デッキ１２０側に向く傾斜面１４２よりも、屋外側（前方）に位置する傾斜面１４３の方が、急傾斜であってもよい。
【００４５】
また、庭１３０に平坦部１３３が含まれることとしたが、庭１３０とは別個のスペースとして平坦部１３３が設けられてもよい。あるいは、平坦部１３３自体が設けられなくてもよい。つまり、土手部１４０の屋外側端部が、住宅１００の敷地の端縁に位置するように構成されてもよい。
【００４６】
また、本実施の形態では、住宅１００の正面側（道路側）に設けられた庭１３０を対象に説明したが、正面側の庭１３０に限定されない。たとえば、住宅１００の背面側に設けられた庭１７０（図１）を対象としてもよい。この場合、開口部１１３、デッキ１２０および庭１３０との関係において、図１および図２で示した一方向矢印Ａ１の反対側の方向が「前方方向」となる。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４８】
１００，２００  住宅、１１１  居住空間、１１０  建物、１１２  外壁、１１３  開口部、１１４  付属棟、１１５，１１６  小窓、１２０  デッキ、１３０，１７０，２３０  庭、１３２  立壁、１３３，２３３  平坦部、１４０，２４０  土手部、１４１  頂上部、１４２，１４３  傾斜面、１５０，３００  樹木、１６０  玄関アプローチ。
【図１】
2015031034.tif 000003
【図２】
2015031034.tif 000004
【図３】
2015031034.tif 000005